(57)【要約】【課題】多数のアカウントがプログラムにより取得されてしまうことを防止でき、かつ、視覚障害者等がその申請手続きを一人で行える形で、無料アカウントを発行できるアカウント発行装置を提供する。【解決手段】アカウント発行装置を、質問文（簡単なクイズ）に対する正確な答え（アカウント発行装置側に用意されているものと一致する文字列）が入力された場合（ステップＳ２０１；ＹＥＳ）にのみ、アカウントを発行する（ステップＳ２１２）装置として構成しておく。【選択図】  図７
2006236067.tif 000002
【特許請求の範囲】
【請求項１】
無料アカウントを発行するためのアカウント発行装置であって、
複数の質問文と、それぞれ、前記複数の質問文の中の特定の質問文に関連づけられた複数の正解文字列とを記憶した質問文記憶手段、
無料アカウントの取得を希望しているユーザに対して、前記質問文記憶手段に記憶されている複数の質問文の中からランダムに選択した１つの質問文を提示する質問文提示手段、
前記質問文提示手段によって提示された前記質問文に対する回答をユーザから取得する回答取得手段、及び、
前記回答取得手段が或る質問文に対するものとしてユーザから取得した回答が，当該質問文に関連づけられて前記質問文記憶手段に記憶されている正解文字列と一致していた場合にのみ、前記ユーザに対して無料アカウントを発行する無料アカウント発行手段
を、備えることを特徴とするアカウント発行装置。
【請求項２】
前記質問文提示手段が、
前記質問文記憶手段に記憶された１つの質問文と，その質問文に対する回答を入力するための入力欄とが示される回答取得用Ｗｅｂページを、無料アカウントの取得を希望しているユーザのコンピュータに表示させる手段であり、
前記回答取得手段が、
前記回答取得用Ｗｅｂページの前記入力欄に入力された文字列を前記質問文に対する前記回答として取得する手段である
ことを特徴とする請求項１記載のアカウント発行装置。
【請求項３】
前記回答取得手段が或る質問文に対するものとしてユーザから取得した回答が，当該質問文に関連づけられて前記質問文記憶手段に記憶されている正解文字列と一致していなかった場合に、当該ユーザのコンピュータに前記回答取得用Ｗｅｂページが表示されるように前記質問文提示手段を動作させる第１処理，或いは，当該ユーザのコンピュータに前記回答取得用Ｗｅｂページとは異なるＷｅｂページを表示させる第２処理を実行する機能と、前記第１処理の実行回数を処理対象となった各コンピュータについて管理する機能とを有する手段であると共に、前記回答取得手段によって回答が取得されたユーザのコンピュータについて管理している前記第１処理の実行回数が所定回数未満であった場合には、前記第１処理を実行し、そうでなかった場合には、前記第２処理を実行する手段である再回答許容手段を、さらに、備える
ことを特徴とする請求項２記載のアカウント発行装置。
【請求項４】
コンピュータに、
複数の質問文と、それぞれ、前記複数の質問文の中の特定の質問文に関連づけられた複数の正解文字列とを記憶した質問文データベースから１つの質問文をランダムに読み出し、読み出した質問文を無料アカウントの取得を希望しているユーザに提示する質問文提示処理、
前記質問文提示処理によって提示された前記質問文に対する回答をユーザから取得する回答取得処理、及び、
或る質問文に対するものとして前記回答取得処理によってユーザから取得された回答が，当該質問文に関連づけられて前記質問文データベースに記憶されている正解文字列と一致していた場合にのみ、前記ユーザに対して無料アカウントを発行する無料アカウント発行処理
を実行させることを特徴とするアカウント発行プログラム。
【請求項５】
前記質問文提示処理が、
前記質問文データベースに記憶された１つの質問文と，その質問文に対する回答を入力するための入力欄とが示される回答取得用Ｗｅｂページを、無料アカウントの取得を希望しているユーザのコンピュータに表示させる処理であり、
前記回答取得処理が、
前記回答取得用Ｗｅｂページの前記入力欄に入力された文字列を前記質問文に対する前記回答として取得する処理である
ことを特徴とする請求項４記載のアカウント発行プログラム。
【請求項６】
前記コンピュータに、
或る質問文に対するものとして前記回答取得処理によってユーザから取得した回答が，当該質問文に関連づけられて前記質問文データベースに記憶されている正解文字列と一致していなかった場合に、当該ユーザのコンピュータに対する前記質問文提示処理を開始させる第１処理、或いは、当該ユーザのコンピュータに前記回答取得用Ｗｅｂページとは異なるＷｅｂページを表示させる第２処理を実行する再回答許容処理であって、前記第１処理の実行回数を処理対象となった各コンピュータについて管理し、前記回答取得処理によって回答が取得されたユーザのコンピュータについて管理している前記第１処理の実行回数が所定回数未満であった場合には、前記第１処理を実行し、そうでなかった場合には、前記第２処理を実行する再回答許容処理
を、さらに、実行させる
ことを特徴とする請求項５記載のアカウント発行プログラム。
【発明の詳細な説明】
【技術分野】
【０００１】
本発明は、無料アカウントを発行するためのアカウント発行装置及びアカウント発行プログラムに関する。
【背景技術】
【０００２】
周知のように、無料のアカウント（メールアカウント、ログインアカウント等）を発行しているＷｅｂサイトの中には、アカウントの申請手続を行うためのＷｅｂページ（アカウント申請用Ｗｅｂページと表記する）を、図８（ａ）〜（ｃ）に示したような画像（予め用意された画像群の中からランダムに選択されたもの）と当該画像中に示されている文字列を入力するための入力欄とが示されるものとし、画像中に示されているものと同じ文字列が当該入力欄に入力された場合にのみ無料アカウントを発行しているＷｅｂサイトが、存在している。
【０００３】
このような無料アカウントの申請手続が採用されているのは、単純な情報入力のみで無料アカウントが取得できるようにしておくと、多数の無料アカウントがプログラムにより取得されて不正に使用されてしまうことがあるためである。
【０００４】
しかしながら、上記のような無料アカウントの申請手続を採用した場合、実際に、多数の無料アカウントがプログラムにより取得されてしまうことを防止できることにはなるが、各種Ｗｅｂページの内容把握に音声読み上げソフトを利用している視覚障害者が一人で無料アカウントを取得できなくなってしまう。また、図８（ａ）〜（ｃ）に示したような画像中に示されている文字列を特定することは高齢の方にとって困難なことであるので、上記のような無料アカウントの申請手続を採用した場合、高齢の方が一人で無料アカウントを取得できない場合があることにもなってしまう。さらに、図８（ａ）〜（ｃ）に示したような画像（描かれている文字列が、通常の文字認識技術では特定できないが、人間は特定できる画像）を、多数、用意することも大変な作業である。
【非特許文献１】インターネット＜ＵＲＬ：http://edit.yahoo.co.jp/config/eval_register?.intl=jp&new=1&.done=http%3a//my.yahoo.co.jp&.src=&.v=0&.u=6p25uj90shi04&partner=&.p=&promo=&.last=＞
【非特許文献２】インターネット＜ＵＲＬ：https://register.passport.net/reg.sfr?xpwiz=true&lc=1041&langid=1041&rollrs=11&sl=1＞
【発明の開示】
【発明が解決しようとする課題】
【０００５】
そこで、本発明の課題は、多数のアカウントがプログラムにより取得されてしまうことを防止でき、かつ、視覚障害者等がその申請手続きを一人で行える形で、無料アカウントを発行できるアカウント発行装置及びアカウント発行プログラムを提供することにある。
【課題を解決するための手段】
【０００６】
上記課題を解決するために、本発明では、無料アカウントを発行するためのアカウント発行装置を、複数の質問文と、それぞれ、複数の質問文の中の特定の質問文に関連づけられた複数の正解文字列とを記憶した質問文記憶手段、無料アカウントの取得を希望しているユーザに対して、質問文記憶手段に記憶されている複数の質問文の中からランダムに選択した１つの質問文を提示する質問文提示手段、質問文提示手段によって提示された質問文に対する回答をユーザから取得する回答取得手段、及び、回答取得手段が或る質問文に対するものとしてユーザから取得した回答が，当該質問文に関連づけられて質問文記憶手段に記憶されている正解文字列と一致していた場合にのみ、ユーザに対して無料アカウントを発行する無料アカウント発行手段を備えた装置としておく。
【０００７】
上記のような各手段を備えた本発明のアカウント発行装置は、各種質問文（簡単なクイズ）に対する正確な答え（アカウント発行装置側に用意されている正解文字列と一致する文字列）を得ることが出来るプログラムを用意しない限り、多数のアカウントをプログラムにより取得することができない装置として機能することになる。そして、各種質問文に対する正確な答えを得ることが出来るプログラムは、簡単には作成できないものであるので、このアカウント発行装置を用いれば、多数のアカウントがプログラムにより取得されてしまうことを防止できる形で、無料のアカウントを発行できることになる。
【０００８】
また、視覚障害者は、アカウント発行装置の質問文提示手段が提示する質問文を音声化できるソフトを自身のコンピュータにインストールしておけば、当該質問文の内容を把握できることになる。しかも、質問文に対する答えを特定するといった作業は、図８（ａ）〜（ｃ）に示したような画像から文字列を特定する作業よりも容易に行えるものである。さらに、多数の質問文とその答えを用意する作業は、それらの質問文と同数の，図８（ａ）〜（ｃ）に示したような画像を用意する作業よりも簡単に行える作業である。従って、本発明のこのアカウント発行装置を用いれば、図８（ａ）〜（ｃ）に示したような画像を使用する手続きを採用した場合に生ずる問題が何等発生しない形で、無料のアカウントを発行できることにもなる。
【０００９】
なお、本発明のアカウント発行装置によって発行される“無料アカウント”は、不正目的のために使用される可能性があるものであれば良い。従って、“無料アカウント”が、有料化されることがないアカウントである必要なはく、一定期間だけ無料なアカウントであっても良い。
【００１０】
本発明のアカウント発行装置を実現する際には、質問文提示手段として、質問文記憶手段に記憶された１つの質問文と，その質問文に対する回答を入力するための入力欄とが示される回答取得用Ｗｅｂページを、無料アカウントの取得を希望しているユーザのコンピュータに表示させる手段を採用し、回答取得手段として、回答取得用Ｗｅｂページの入力欄に入力された文字列を質問文に対する回答として取得する手段を採用しておくことが出来る。
【００１１】
また、本発明のアカウント発行装置を実現する際には、回答取得手段が或る質問文に対するものとしてユーザから取得した回答が，当該質問文に関連づけられて質問文記憶手段に記憶されている正解文字列と一致していなかった場合に、当該ユーザのコンピュータに回答取得用Ｗｅｂページが表示されるように質問文提示手段を動作させる第１処理，或いは，当該ユーザのコンピュータに回答取得用Ｗｅｂページとは異なるＷｅｂページを表示させる第２処理を実行する機能と、第１処理の実行回数を処理対象となった各コンピュータについて管理する機能とを有する手段であると共に、回答取得手段によって回答が取得されたユーザのコンピュータについて管理している第１処理の実行回数が所定回数未満であった場合には、第１処理を実行し、そうでなかった場合には、第２処理を実行する手段である再回答許容手段を、付加しておくことも出来る。
【００１２】
そして、本発明のアカウント発行プログラムは、コンピュータを、本発明のアカウント発行装置相当の装置として動作させることが出来るものとなっているので、本発明のアカウント発行プログラムを用いても、多数のアカウントがプログラムにより取得されてしまうことを防止でき、かつ、視覚障害者等がその申請手続きを一人で行える形で、無料アカウントを発行できることになる。
【発明を実施するための最良の形態】
【００１３】
以下、本発明を実施するための最良の形態を、図面を参照して詳細に説明する。
【００１４】
図１に模式的に示してあるように、本発明の一実施形態に係るアカウント発行装置１０は、質問文情報データベース２１，アカウントデータベース２２及び各種Ｗｅｂページデータを記憶した記憶部１１と、アカウント発行処理部１２とを、備えた装置である。また、アカウント発行装置１０は、インターネットに接続されて使用される装置となっている。
【００１５】
このアカウント発行装置１０は、コンピュータ５０（Ｗｅｂブラウザ）を操作することにより所定の手続きを行ったユーザに対して、無料のアカウント（本実施形態では、いわゆるログインアカウント）を発行する装置である。また、アカウント発行装置１０は、インターネットに接続可能なコンピュータ（ネットワークアダプタ等を備えたコンピュータ）に、各種のプログラムやデータをインストールすることによって構成（実現）されている。そして、記憶部１１と称している部分は、当該コンピュータの補助記憶装置（ＨＤＤ）に相当するものとなっており、アカウント発行処理部１２と称している部分は、当該コンピュータの，補助記憶装置以外の部分〔インストールしたプログラム群（本発明のアカウント発行プログラムに相当）に従って動作するＣＰＵを中心とした部分〕に相当するものとなっている。
【００１６】
以上のことを前提として、以下、本実施形態に係るアカウント発行装置１０の構成及び動作を、具体的に説明する。
【００１７】
アカウント発行装置１０の記憶部１１に記憶されている質問文情報データベース２１は、図２に模式的に示したような構成のデータベースである。すなわち、質問文情報データベース２１は、多数の質問文（簡単なクイズ）のそれぞれについて、幾つかの（少なくとも１つの）答えを記憶したデータベースとなっている。以下、この質問文情報データベース２１に記憶されている，或る（１つの）質問文と、その質問文についての幾つかの答えとからなる情報のことを、質問文情報と表記する。
【００１８】
記憶部１１に記憶されているアカウントデータベース２２は、発行済みの各アカウントについて、アカウント名、アカウント取得者の氏名、性別等からなる情報（以下、アカウント情報と表記する）を記憶しておくためのデータベースである。
【００１９】
記憶部１１に記憶されている各Ｗｅｂページデータは、アカウント発行装置１０（後述するアカウント発行処理部１２）が、それを要求したコンピュータ５０に返送するデータ（ＨＴＭＬデータやイメージデータ等）である。
【００２０】
アカウント発行処理部１２は、以下のように動作するユニットである。
【００２１】
アカウント発行処理部１２は、所定の要求（以下、アカウント申請手続ページ要求と表記する）を受信した際には、アカウント申請手続ページ要求の送信元コンピュータ５０に対して、利用規約同意ページのＨＴＭＬデータ（記憶部１１に記憶されている，特定のＷｅｂページデータ）を送信する。
【００２２】
ここで、利用規約同意ページのＨＴＭＬデータとは、それを受信したコンピュータ５０（Ｗｅｂブラウザ）が、図３に示した構成の利用規約同意ページをディスプレイ上に表示した後、この利用規約同意ページ上の“同意する”ボタンの押下時に所定内容のユーザ情報入力ページ要求をインターネット上に送信する状態での動作を開始することになるデータのことである。
【００２３】
この利用規約同意ページを表示しているコンピュータ５０が送信するユーザ情報入力ページ要求は、アカウント発行処理部１２によって受信される要求となっており、ユーザ情報入力ページ要求を受信したアカウント発行処理部１２は、ユーザ情報入力ページ要求の送信元コンピュータ５０に対してユーザ情報入力ページのＨＴＭＬデータを送信する。
【００２４】
このユーザ情報入力ページのＨＴＭＬデータは、それを受信したコンピュータ５０が、以下の動作を行うデータとなっている。
【００２５】
ユーザ情報入力ページのＨＴＭＬデータを受信したコンピュータ５０（以下、通信対象コンピュータ５０と表記する）は、まず、図４に示した構成のユーザ情報入力ページをディスプレイ上に表示する。次いで、通信対象コンピュータ５０は、このユーザ情報入力ページに対する各種操作（氏名の入力、性別の選択等）を受け付ける状態となる。そして、通信対象コンピュータ５０は、“次へ進む”ボタンが押下された際には、ユーザ情報入力ページに対して設定（入力／選択）されている各種情報（以下、ユーザ情報と表記する）を含めた所定形式の要求（アカウント発行処理部１２が受信することになる要求；以下、アカウント名入力ページ要求と表記する）を、インターネット上に送信する。
【００２６】
このアカウント名入力ページ要求を受信したアカウント発行処理部１２は、図５に示した手順のアカウント名入力ページ要求応答処理を開始する。
【００２７】
すなわち、アカウント発行処理部１２は、まず、受信したアカウント名入力ページ要求に含まれるユーザ情報と、不正解回数“０”と、受付開始時（＝アカウント名入力ページ要求受信時刻）とを、通信対象コンピュータ５０のＩＰアドレスと対応づけられた情報（以下、“通信対象コンピュータ５０に関する情報”と表記する）として記憶する(ステップＳ１０１)。
【００２８】
次いで、アカウント発行処理部１２は、質問文情報データベース２１からランダムに１つの質問文情報（質問文と、それについての幾つかの答えからなる情報）を読み出す処理(ステップＳ１０２)と、読み出した質問文情報中の各答えを、通信対象コンピュータ５０に関する情報として記憶する処理(ステップＳ１０３)とを行う。そして、アカウント発行処理部１２は、図６に示した構成の、質問文情報データベース２１から読み出した質問文情報中の質問文が質問文３１として示されるアカウント名入力ページ３０をＷｅｂブラウザに表示させることが出来るＨＴＭＬデータを作成して通信対象コンピュータ５０に送信(ステップＳ１０４)してから、このアカウント名入力ページ要求応答処理を終了する。
【００２９】
ステップＳ１０４の処理で作成されたＨＴＭＬデータを受信した通信対象コンピュータ５０は、アカウント名入力ページ３０をディスプレイ上に表示した後、アカウント名入力ページ３０に対する各種操作（アカウント名，質問に対する答え等の入力、“アカウント申込”ボタンの押下）を受け付ける状態となる。そして、通信対象コンピュータ５０は、“アカウント申込”ボタンが押下された際には、入力されているアカウント名，パスワード及び質問に対する答えを含む所定形式の要求（アカウント発行処理部１２が受信することになる要求；以下、アカウント発行要求と表記する）を、インターネット上に送信する。
【００３０】
このアカウント申込要求を受信したアカウント発行処理部１２は、図７に示した手順のアカウント発行要求応答処理を開始する。
【００３１】
すなわち、アカウント発行処理部１２は、まず、受信したアカウント発行要求中の答えが、通信対象コンピュータ５０に関するものとして記憶しているいずれかの答えと一致しているか否かを判断する(ステップＳ２０１)。
【００３２】
アカウント発行要求中の答えが、通信対象コンピュータ５０に関するものとして記憶しているいずれかの答えとも一致していなかった場合(ステップＳ２０１；ＮＯ)、アカウント発行処理部１２は、通信対象コンピュータ５０に関するものとして記憶している不正解回数に“１”を加算する(ステップＳ２０２)。その後、アカウント発行処理部１２は、当該不正解回数が、予め定められている規定回数（例えば、３）未満であるか否かを判断する(ステップＳ２０３)。
【００３３】
そして、アカウント発行処理部１２は、不正解回数が規定回数未満であった場合(ステップＳ２０３；ＹＥＳ)には、ステップＳ２０４〜Ｓ２０６にて、それぞれ、ステップＳ１０２〜Ｓ１０４（図５）と同内容の処理を行ってから、このアカウント申込要求応答処理を終了する。
【００３４】
一方、不正解回数が規定回数以上であった場合(ステップＳ２０３；ＮＯ)、アカウント発行処理部１２は、通信対象コンピュータ５０に関するものとして記憶している各種の情報をクリアし、再申請依頼ページのＨＴＭＬデータを通信対象コンピュータ５０に送信する処理(ステップＳ２０７)を行う。なお、再申請依頼ページのＨＴＭＬデータとは、アカウントの申請手続きを初めから（利用規約同意ページを表示させる作業から）やり直すべき旨のメッセージが示されたＷｅｂページである再申請依頼ページを、Ｗｅｂブラウザに、表示させることが出来るデータのことである。
【００３５】
そして、ステップＳ２０７の処理を終えたアカウント発行処理部１２は、このアカウント申込要求応答処理を終了する。
【００３６】
また、受信したアカウント発行要求に含まれていた答えが、通信対象コンピュータ５０に関するものとして記憶しているいずれかの答えと一致していた場合(ステップＳ２０１；ＹＥＳ)、アカウント発行処理部１２は、受信したアカウント発行要求に含まれているものと同じアカウント名を含むアカウント情報がアカウントデータベース２２に記憶されているか否かを判断する(ステップＳ２１１)。
【００３７】
そして、アカウント発行処理部１２は、そのようなアカウント情報がアカウントデータベース２２に記憶されていなかった場合(ステップＳ２１１；ＮＯ)には、通信対象コンピュータ５０に関するものとして記憶しているユーザ情報と、受信したアカウント発行要求に含まれていたアカウント名及びパスワードとからなるアカウント情報を、アカウントデータベース２２に追加する処理(ステップＳ２１２)を行う。その後、アカウント発行処理部１２は、アカウントが発行された旨を申請者に通知するためのアカウント発行完了通知ページのＨＴＭＬデータを作成して通信対象コンピュータ５０に送信する処理(ステップＳ２１３)をお個案ってから、このアカウント申込要求応答処理を終了する。
【００３８】
一方、受信したアカウント発行要求に含まれるものと同じアカウント名を含むアカウント情報がアカウントデータベース２２に記憶されていた場合(ステップＳ２１１；ＹＥＳ)、アカウント発行処理部１２は、通信対象コンピュータ５０に関するものとして記憶している受付開始時から，現在時刻までの経過時間が、予め定められている制限時間（例えば、２０分）を超えているか否かを判断する(ステップＳ２１４)。そして、アカウント発行処理部１２は、当該経過時間が制限時間を超えていなかった場合(ステップＳ２０２；ＹＥＳ)には、ステップＳ２０２以降の処理を開始する。すなわち、経過時間が制限時間を超えていなかった場合、アカウント発行処理部１２は、受信したアカウント発行要求中の答えが誤っていた場合と同内容の処理を行ってから、このアカウント申込要求応答処理を終了する。
【００３９】
一方、経過時間が制限時間を超えていた場合(ステップＳ２０２；ＹＥＳ)、アカウント発行処理部１２は、ステップＳ２０７の処理（アカウントの申請手続きを初めからやり直すべきことを申請者に通知するための処理）を行ってから、アカウント申込要求応答処理を終了する。
【００４０】
以上、詳細に説明したように、本実施形態に係るアカウント発行装置１０は、質問文（簡単なクイズ）に対する正確な答え（アカウント発行装置１０側に用意されているものと一致する文字列）が入力された場合にのみ、アカウントを発行する装置となっている。そして、各種質問文に対する正確な答えを得ることが出来るプログラムは、簡単には作成できないものであるので、本実施形態に係るアカウント発行装置１０を用いれば、多数のアカウントがプログラムにより取得されてしまうことを防止できる形で、無料のアカウントを発行できることになる。
【００４１】
また、アカウント発行装置１０が，アカウント申請者のコンピュータ５０に表示させるアカウント名入力ページ３０は、音声読み上げソフトにてその内容が把握できるものとなっている。また、アカウント発生装置１０がアカウント申請者に提示する質問文は、誰もが簡単に答えられるものある。しかも、質問文情報データベース２１を用意する作業は、多数の図８（ａ）〜（ｃ）に示したような画像を用意する作業よりも簡単に行える作業となっている。従って、このアカウント発行装置１０を用いれば、図８（ａ）〜（ｃ）に示したような画像を使用する手続きを採用した場合に生ずる問題が何等発生しない形で、無料のアカウントを発行できることにもなる。
【００４２】
＜変形形態＞
本実施形態に係るアカウント発行装置１０は、各種の変形を行うことが出来る。例えば、アカウント発行装置１０を、無料のメールアカウントや、無料となる期間が制限されているアカウント（試行期間があるログインアカウントやメールアカウント）を発行する装置に、変形することが出来る。
【００４３】
また、アカウント発行装置１０を、上記したものとは、具体的なアカウントの申請手順が異なる装置、例えば、ユーザ情報入力ページ（図４）及びアカウント名入力ページ（図６）３０としての機能を有するＷｅｂページを提供する装置に変形しておいても良い。また、アカウント発行装置１０を、各コンピュータ５０に、アカウント発行装置１０とアクセスするための専用のソフトのインストールしておくことが必要な装置に変形しておくことも出来る。
【図面の簡単な説明】
【００４４】
【図１】本発明の一実施形態に係るアカウント発行装置の構成及び使用形態の説明図。
【図２】実施形態に係るアカウント発行装置が備える質問文情報データベースの説明図。
【図３】実施形態に係るアカウント発行装置がコンピュータに提供する利用規約同意ページの説明図。
【図４】実施形態に係るアカウント発行装置がコンピュータに提供するユーザ情報入力ページの説明図。
【図５】実施形態に係るアカウント発行装置が実行するアカウント名入力ページ要求応答処理の流れ図。
【図６】実施形態に係るアカウント発行装置がコンピュータに提供するアカウント名入力ページの説明図。
【図７】実施形態に係るアカウント発行装置が実行するアカウント発行要求応答処理の流れ図。
【図８】既存のアカウント申請用Ｗｅｂページ上に示される画像の説明図
【符号の説明】
【００４５】
１０  アカウント発行装置
１１  記憶部
１２  アカウント発行処理部
２１  質問文情報データベース
２２  アカウントデータベース
３０  アカウント名入力ページ
５０  コンピュータ
【図１】
2006236067.tif 000003
【図２】
2006236067.tif 000004
【図３】
2006236067.tif 000005
【図４】
2006236067.tif 000006
【図５】
2006236067.tif 000007
【図６】
2006236067.tif 000008
【図７】
2006236067.tif 000009
【図８】
2006236067.tif 000010